(57)【要約】【課題】介護者の負担を低減させることができる洗浄可能オムツを提供する。【解決手段】要介護者２の排泄物を受け止め可能に要介護者が装着可能なオムツ本体３と、オムツ本体３に接続された排水パイプ４と、オムツ本体３内に洗浄水を供給可能な給水管５と、を備え、オムツ本体３の内面には、要介護者２の皮膚に直接接触可能な複数の凸部２１と、要介護者２の皮膚から離隔する複数の凹部２３とが設けられている。本発明によれば、給水管５から供給される洗浄水によってオムツ本体３の凹部２３に存在する排泄物を排水パイプ４へと押し流すことができる。従って、介護者の手を煩わせることなく洗浄可能オムツ１の排泄物を除去することができる。【選択図】図１
2020000518.tif 000002
【特許請求の範囲】
【請求項１】
要介護者の排泄物を受け止め可能に要介護者が装着可能なオムツ本体と、
前記オムツ本体に接続された排水パイプと、
前記オムツ本体内に洗浄水を供給可能な給水管と、を備え、
前記オムツ本体の内面には、要介護者の皮膚に直接接触可能な複数の凸部と、要介護者の皮膚から離隔する複数の凹部とが設けられていることを特徴とする洗浄可能オムツ。
【請求項２】
請求項１に記載の洗浄可能オムツであって、
前記凸部は表面が撥水加工されたウレタンフォームで形成されていることを特徴とする洗浄可能オムツ。
【請求項３】
請求項１又は請求項２に記載の洗浄可能オムツであって、
前記オムツ本体と前記排水パイプとを解除自在に接続する接続部を備え、
前記オムツ本体には、前記排水パイプを取り外したときの開口を閉塞する閉塞機構が設けられ、
前記オムツ本体と前記接続部との間に、排泄物を貯留可能な貯留部が設けられていることを特徴とする洗浄可能オムツ。
【請求項４】
請求項１から請求項３の何れか１項に記載の洗浄可能オムツであって、
前記給水管は、送風可能な送風機に接続可能であり、
前記送風機から送られた風を、前記給水管を介して、前記オムツ本体内に送風して、前記オムツ本体内を乾燥させることを特徴とする洗浄可能オムツ。
【発明の詳細な説明】
【技術分野】
【０００１】
本発明は、排水パイプが接続可能な洗浄可能オムツに関する。
【背景技術】
【０００２】
従来、排水パイプが接続され、シャワーで洗浄可能な撥水加工された要介護者用のオムツが知られている（例えば、特許文献１参照）。
【先行技術文献】
【特許文献】
【０００３】
【特許文献１】特開２０１０−２２０８１９号公報
【発明の概要】
【発明が解決しようとする課題】
【０００４】
特許文献１のものでは、オムツをシャワーで洗浄することができるものの、要介護者がオムツを履いたままの状態では排泄物が排水パイプに流れ難いという問題がある。従って、特許文献１のオムツでは、介護者は要介護者から一旦オムツを取り外して洗浄する必要があり手間が掛かった。
【０００５】
本発明は、以上の点に鑑み、介護者の負担を低減させることができる洗浄可能オムツを提供することを目的とする。
【課題を解決するための手段】
【０００６】
［１］上記目的を達成するため、本発明は、
要介護者の排泄物を受け止め可能に要介護者が装着可能なオムツ本体と、
前記オムツ本体に接続された排水パイプと、
前記オムツ本体内に洗浄水を供給可能な給水管と、を備え、
前記オムツ本体の内面には、要介護者の皮膚に直接接触可能な複数の凸部と、要介護者の皮膚から離隔する複数の凹部とが設けられていることを特徴とする。
【０００７】
本発明によれば、給水管から供給される洗浄水によってオムツ本体の凹部に存在する排泄物を排水パイプへと押し流すことができる。従って、介護者の手を煩わせることなく洗浄可能オムツの排泄物を除去することができる。
【０００８】
［２］また、本発明においては、前記凸部は表面が撥水加工されたウレタンフォームで形成されていることが好ましい。
【０００９】
本発明によれば、少なくとも凸部の表面が撥水加工されたウレタンフォームで形成されていることにより要介護者と接触する部分の緩衝力を高めて、履き心地を向上させることができる。
【００１０】
［３］また、本発明においては、前記オムツ本体と前記排水パイプとを解除自在に接続する接続部を備え、前記オムツ本体には、前記排水パイプを取り外したときの開口を閉塞する閉塞機構が設けられ、前記オムツ本体と前記接続部との間に、排泄物を貯留可能な貯留部が設けられていることが好ましい。
【００１１】
本発明によれば、排水パイプを取り外して、要介護者がオムツ本体を装着したままの状態で移動することができ、更に、その間の排泄物を、閉塞機構を閉じることで貯留部に留めることができる。
【００１２】
［４］また、本発明においては、前記給水管は、送風可能な送風機に接続可能であり、前記送風機から送られた風を、前記給水管を介して、前記オムツ本体内に送風して、前記オムツ本体内を乾燥させることが好ましい。
【００１３】
かかる構成によれば、オムツ本体内を洗浄水で洗浄した後、給水管から温風などの風を出すことによってオムツ本体内を乾燥させることができ、オムツ本体内を快適な状態に保つことができる。
【図面の簡単な説明】
【００１４】
【図１】本発明の実施形態の洗浄可能オムツを模式的に示す説明図。
【図２】本実施形態の洗浄可能オムツの一部を拡大して示す説明図。
【図３】本実施形態の洗浄可能オムツのオムツ本体と排水パイプとの接続部分を示す説明図。
【図４】本実施形態の洗浄可能オムツを正面から模式的に示す説明図。
【図５】本実施形態の洗浄可能オムツを開いた状態で模式的に示す展開図。
【発明を実施するための形態】
【００１５】
図を参照して、本発明の洗浄可能オムツの実施形態を説明する。
【００１６】
図１を参照して、本実施形態の洗浄可能オムツ１は、要介護者２が上を向いてベッドで寝ている状態において、要介護者２の腹部２ａ及び脚部２ｂを露出させて腹部２ａと脚部２ｂとの間に位置する腰周り部を覆い、要介護者２の排泄物を受け止め可能なオムツ本体３と、オムツ本体３に接続され、要介護者２の脚部２ｂの間を通って伸び、要介護者２の排泄物を流す排水パイプ４と、を備えている。オムツ本体３の腹部２ａや脚部２ｂが露出する開口部には、排泄物が漏れないように後述するギャザーやフリルなどのシール構造（図示省略）が採用されている。
【００１７】
図２にオムツ本体３の一部を拡大して示す。オムツ本体３は、本体外側生地３ｃの内面に貼り付けられたウレタンフォーム３ａで主に形成され、ウレタンフォーム３ａは、その表面に撥水加工を施して撥水層３ｂで覆われている。撥水層３ｂは例えばビニールコーティングなどで形成されている。
【００１８】
また、オムツ本体３のウレタンフォーム３ａには、要介護者２の臀部上方に位置させて温水などの洗浄水をオムツ本体３内に供給する給水管５が設けられている。
【００１９】
オムツ本体３の内面には、要介護者２の皮膚（肌）に先端面が接触可能な複数の円柱状の凸部２１と、要介護者２の皮膚から離隔して接触することができない複数の凹部２３とが設けられている。凹部２３を洗浄水が排水パイプ４に向かって流れることにより、排泄物が排水パイプ４へと流れていく。また、ウレタンフォーム３ａと撥水層３ｂとで構成された凸部２１は先端の面で皮膚に接触するため、オムツ本体３は要介護者２にしっかりと密着することができ、洗浄可能オムツ１が要介護者２へ与える負荷を軽減させることができる。
【００２０】
なお、オムツ本体３の主な材質はウレタンフォーム３ａに限らず、他の材質であってもよい。例えば、オムツ本体３を気泡緩衝材で構成してもよい。この場合、通常の気泡緩衝材と比較して凹凸を大きく形成することにより、要介護者の装着感を向上させ、且つ排泄物を流れ易くすることができる。
【００２１】
また、凸部２１のみを撥水加工されたウレタンフォーム３ａで構成し、凹部２３を含む他のオムツ本体３の部分は他の材料で構成してもよい。また、凸部２１は円柱状に形成することにより先端面をしっかりと要介護者２に接触させることができて好ましいが、円柱状でなくてもよい。例えば、山形形状や三角錐形状、四角柱形状、六角柱形状、八角柱形状であってもよい。凸部２１を備えるウレタンフォーム３ａは、例えば、金型成形で形成することができる。
【００２２】
オムツ本体３と排水パイプ４とはネオジム磁石などで着脱可能に接続されており、オムツ本体３は、排水パイプ４を外したときに、オムツ本体３から排泄物が漏れないように排水パイプ４との接続部分の開口を閉塞する開閉弁６（本発明の閉塞機構に該当）が設けられている。排水パイプ４をオムツ本体３から着脱可能とし、開口を開閉弁６で閉塞できるようにしたため、オムツ本体３から排水パイプ４を取り外して、要介護者２にオムツ本体３を装着させたまま要介護者２を移動させることもできる。なお、排水パイプ４の開口端にも開閉弁６と同様に構成される逆流防止弁を設けてもよい。排水パイプ４に逆流膨支弁を設ければ、排水パイプ４を取り外したときに排水パイプ４から排泄物が漏れることを防止することができる。
【００２３】
また、オムツ本体３には、排水パイプ４側に向かって膨出し排泄物を一時的に貯留可能な貯留部７が設けられている。この貯留部７を設けることにより、オムツ本体３を装着させたまま、排水パイプ４を取り外した状態で要介護者２を移動させている最中に排泄物がオムツ本体３内に出たとしても、排泄物を貯留部７に留めることができ、要介護者２へ与える不快感を低減させることができる。貯留部７には、金属製又は合成樹脂製の円筒部材（図示省略）が内挿されており、排水パイプ４と容易に接続できるように構成されている。
【００２４】
また、図３に示すように、排水パイプ４の先端には、給水管５を漏れなく接続するためにオムツ本体３側の給水管５内に差し込まれる差込部５ａが設けられている。
【００２５】
なお、実施形態においては、閉塞機構として開閉弁６を用いて説明したが、本発明の閉塞機構は、開閉弁に限らず、他の構成、例えば、閉塞キャップや、シャッターがスライドして開口を閉塞するスライド式閉塞装置などであってもよい。
【００２６】
図４は、本実施形態の洗浄可能オムツ１を正面から模式的に示したものである。図５は、洗浄可能オムツ１を開いた状態である。図５に示すように、オムツ本体３のウレタンフォーム３ａは、図５の上下方向に延びる略長方形状であり、要介護者２の臀部から股間を介して下腹部へ至る部分を被覆する。オムツ本体３のウレタンフォーム３ａに重なる本体外側生地３ｃには、要介護者２の腰に当たる部分と、両足が通過する開口部分とに、ギャザー３１，３３が夫々設けられている。また、図５のウレタンフォーム３ａの左右両側縁には、ギャザー３３が設けられた位置から図５の上下方向に延びる方向に沿って、漏れ防止用のフリル３５が設けられている。
【００２７】
また、図５を参照して、オムツ本体３の本体外側生地３ｃは、要介護者２の腰部に相当する位置に左右方向に張り出す一対の張出部３９を備え、この張出部３９から左右方向に夫々２つずつ延びる左右一対で合計４つの突片３７が設けられている。突片３７には面ファスナー３７ａが設けられており、オムツ本体３のウレタンフォーム３ａの前方部分（図５の下方部分）を要介護者２の下腹部に当てて、面ファスナー３７ａをオムツ本体３の本体外側生地３ｃの前方部分の外面に固定することで、洗浄可能オムツ１が要介護者２に装着される。
【００２８】
本実施形態の洗浄可能オムツ１は、要介護者２が排便したとき給水管５から温水などの洗浄水を流して排泄物を排水パイプ４に流し、その後、給水管５に接続された給水装置（図示省略）を取り外して温風などの風を送風可能な送風機（図示省略）を接続し、給水管５から温風などの風を送ることにより、洗浄後のオムツ本体３内を風で早期に乾燥させることができ、要介護者２に洗浄可能オムツ１を快適な状態で装着し続けさせることができる。
【符号の説明】
【００２９】
１  洗浄可能オムツ
２  要介護者
２ａ  腹部
２ｂ  脚部
３  オムツ本体
３ａ  ウレタンフォーム
３ｂ  撥水層
３ｃ  本体外側生地
４  排水パイプ
５  給水管
５ａ  差込部
６  開閉弁
７  貯留部
２１  凸部
２３  凹部
３１  ギャザー
３３  ギャザー
３５  フリル
３７  突片
３９  張出部
【図１】
2020000518.tif 000003
【図２】
2020000518.tif 000004
【図３】
2020000518.tif 000005
【図４】
2020000518.tif 000006
【図５】
2020000518.tif 000007